(57)【要約】【課題】太陽電池アレイの面積をできるだけ大きく確保できると同時に、太陽光照射による温度上昇を効果的に抑制することが可能な太陽電池モジュールを提供する。【解決手段】太陽電池セル７が配列された表面パネル５の形状が、少なくとも一つの頂点の内角が鋭角である多角形状であって、この内角が鋭角である頂点部分に換気口である切り欠き２が形成され、表面パネル５の下面全体にわたって、換気口に連通し通気可能な放熱室が形成された構成とする。【選択図】        図１
2005240352.tif 000002
【特許請求の範囲】
【請求項１】
太陽電池セルが配列された表面パネルの形状が、少なくとも一つの頂点の内角が鋭角である多角形状であって、この内角が鋭角である頂点部分に換気口である切り欠き又は通気孔が形成されていることを特徴とする太陽電池モジュール。
【請求項２】
前記表面パネルの下面全体にわたって、前記換気口に連通し通気可能な放熱室が形成されていることを特徴とする請求項１記載の太陽電池モジュール。
【請求項３】
前記表面パネルは、内角が鋭角である一対の対向する頂点部分に換気口である切り欠き又は通気孔が形成された平行四辺形状に形成されていることを特徴とする請求項１又は２記載の太陽電池モジュール。
【請求項４】
前記表面パネルは、内角が鋭角である少なくとも２つの頂点部分に換気口である切り欠き又は通気孔が形成された三角形状に形成されていることを特徴とする請求項１又は２記載の太陽電池モジュール。
【請求項５】
前記表面パネルは、内角が鋭角である下辺両端の２つの頂点部分に換気口である切り欠き又は通気孔が形成された台形状に形成されていることを特徴とする請求項１又は２記載の太陽電池モジュール。
【請求項６】
太陽電池セルが配列された表面パネルの形状が、少なくとも一つの頂点の内角が鋭角である多角形状であって、この内角が鋭角である頂点部分に換気口である切り欠き又は通気孔が形成された太陽電池モジュールが、前記表面パネルの下面に前記換気口に連通した通気可能な空間が形成された状態で、屋根面に充填して敷設されていることを特徴とする太陽電池付屋根。
【請求項７】
前記屋根面に敷設された太陽電池モジュールの少なくとも一部は、前記表面パネルの形状が内角が鋭角である一対の対向する頂点部分に換気口である切り欠き又は通気孔が形成された平行四辺形状に形成された平行四辺形状太陽電池モジュールであって、
前記各平行四辺形状太陽電池モジュールは、互いに隣接する２つの平行四辺形状太陽電池モジュールの右側斜辺と左側斜辺とが接し、かつ前記平行四辺形状太陽電池モジュールの一対の平行辺が、前記屋根面の軒に対して平行となるように前記屋根面に配置されていることを特徴とする請求項６記載の太陽電池付屋根。
【発明の詳細な説明】
【技術分野】
【０００１】
本発明は、建物の屋根に設置して太陽光のエネルギーを利用して発電を行う太陽電池モジュールに関する。
【背景技術】
【０００２】
この種の太陽電池モジュールとしては、従来、特許文献１に記載のものが公知である。図１６は特許文献１に記載の太陽電池モジュールの断面図及び平面図である。太陽電池モジュール１００は、ほぼ正方形状の枠体１０１を有する。枠体１０１の４つの角部には、支持脚１０２が設けられている。
【０００３】
また、枠体１０１に囲繞された部分には、中央部にコード孔（図示せず）が開口する正方形状の支持板１０３が設けられている。そして、この支持板１０３上に、多数の太陽電池セルが直並列に配列された太陽電池アレイ１０４が固定されている。太陽電池アレイ１０４は、支持板１０３とほぼ同型同大の正方形状である。
【０００４】
４本の支持脚１０２によって、枠体１０１は屋根面から少し距離をおいて固定される。そして、屋根面と枠体１０１との間の空間は通気が可能となる。枠体１０１の４つの外辺の中央部には、円弧状の切り欠き部１０５が形成されている。この切り欠き部１０５は換気口として機能する。
【０００５】
図１７は図１６の太陽電池モジュールを屋根面に敷き詰めた状態を表す図である。図１７のように、各太陽電池モジュール１００は、互いの辺同士が接触した状態で屋根面に敷き詰められる。また隣り合う太陽電池モジュール１００の切り欠き部１０５同士は、互いに合わさって、一つの換気口を形成する。
【０００６】
このように構成することで、組み合わされた太陽電池モジュール１００集合体の各所に換気口が形成される。太陽熱により熱せられた太陽電池モジュール１００は、太陽電池モジュール１００の下面と屋根面との隙間の空間の空気に放熱する。この隙間の空気は加熱され暖気となる。そして、この暖気は、各所に形成された前記換気口を抜けて、外部に放出される。従って、太陽電池モジュール１００の冷却効率が改善され、温度上昇が抑えられる。これにより、温度上昇による太陽電池セルの発電効率の低下が少なくなる。
【特許文献１】特開２００１−８５７２８号公報
【発明の開示】
【発明が解決しようとする課題】
【０００７】
ところで、図１６のような太陽電池モジュール１００において、屋根面に設置したときの換気効率を高くして太陽電池モジュール１００の温度上昇を抑えようとした場合、切り欠き部１０５を大きくする必要がある。ところで、切り欠き部１０５の面積を大きくするためには、必然的に枠体１０１の幅を大きくとる必要がある。ところが、枠体１０１の幅を大きくすると、その分、太陽電池アレイ１０４の面積を小さくする必要が生じる。そうすると、結局、枠体１０１の表面積も含めた太陽電池モジュール１００の単位面積当たりの発電効率は低くなる。
【０００８】
一方、切り欠き部１０５を小さくすると、換気効率が低下し、太陽光照射による太陽電池モジュール１００の温度上昇を抑える効果も低くなる。従って、各太陽電池セルの発電効率が低下し、その結果、太陽電池モジュール１００の単位面積当たりの発電効率は低くなる。
【０００９】
このように、上記従来の太陽電池モジュール１００では、太陽電池アレイ１０４の面積と太陽電池モジュール１００の温度上昇抑制効果とは相反する関係となるため、太陽電池モジュール１００の単位面積当たりの発電効率を高めるには限界がある。
【００１０】
なお、実際に現在使用されている太陽電池モジュールでは、枠体の上面の幅は１０ｍｍ程度のものが多い。このように、現状では太陽電池アレイの面積をできるだけ広げるために枠体の上面の幅をぎりぎりまで狭くしている。したがって、このように狭い幅の枠体に切り欠き部を形成すると枠体の強度が低下する。また、切り欠き部の幅も狭くなり、換気効率も低くなる。
【００１１】
そこで、本発明の目的は、太陽電池アレイの面積をできるだけ大きく確保できると同時に、太陽光照射による温度上昇を効果的に抑制することが可能な太陽電池モジュールを提供することにある。
【課題を解決するための手段】
【００１２】
本発明に係る太陽電池モジュールの第１の構成によれば、太陽電池セルが配列された表面パネルの形状が、少なくとも一つの頂点の内角が鋭角である多角形状であって、この内角が鋭角である頂点部分に換気口である切り欠き又は通気孔が形成されていることを特徴とする。
【００１３】
この構成によれば、本来太陽電池セルを配置することができない鋭角の頂点部分を換気口として利用することで、換気口を設けることによって太陽電池モジュールに敷き詰めることができる太陽電池セルの個数は減少することはない。また、太陽電池モジュールの表面パネルの裏面の空気が換気口を通して換気される。そのため、表面パネルの裏面に熱せられた空気が溜まることがない。従って、表面パネルに配列された太陽電池セルが高温となることがなく、温度上昇による発電効率の低下を抑制することができる。
【００１４】
本発明に係る太陽電池モジュールの第２の構成によれば、前記第１の構成において、前記表面パネルの下面全体にわたって、前記換気口に連通し通気可能な放熱室が形成されていることを特徴とする。
【００１５】
この構成によれば、表面パネルが太陽光照射により加熱されると、その熱は表面パネルの下の放熱室にも放熱される。そして、放熱室内の暖気は換気口を通して大気に放出される。従って、表面パネルの冷却効率が高くなるため、太陽電池モジュールは高い発電効率が維持される。
【００１６】
本発明に係る太陽電池モジュールの第２の構成によれば、前記第１又は２の構成において、前記表面パネルは、内角が鋭角である一対の対向する頂点部分に換気口である切り欠き又は通気孔が形成された平行四辺形状に形成されていることを特徴とする。
【００１７】
このように、太陽電池モジュールの形状を平行四辺形状とすれば、寄せ棟、入母屋、片方行などの隅棟を有する屋根に太陽電池モジュールを敷き詰める際の貼付効率を高くすることができる。また、上述の場合と同様に、切り欠き部分（又は通気孔部分）から太陽電池モジュールの下面の暖気が換気される。従って、太陽電池モジュールを組み合わせて構成される太陽電池アレイの全体的な発電効率をさらに向上することができる。
【００１８】
本発明に係る太陽電池モジュールの第３の構成によれば、前記第１又は２の構成において、前記表面パネルは、内角が鋭角である少なくとも２つの頂点部分に換気口である切り欠き又は通気孔が形成された三角形状に形成されていることを特徴とする。
【００１９】
このように、太陽電池モジュールの形状を三角形状とすれば、上記平行四辺形状の太陽電池モジュールや方形状の太陽電池モジュールと組み合わせて、寄せ棟、入母屋、片方行などの隅棟を有する屋根に太陽電池モジュールを敷き詰める際の貼付効率を高くすることができる。また、上述の場合と同様に、切り欠き部分（又は通気孔部分）から太陽電池モジュールの下面の暖気が換気される。従って、太陽電池モジュールを組み合わせて構成される太陽電池アレイの全体的な発電効率をさらに向上することができる。
【００２０】
本発明に係る太陽電池モジュールの第４の構成によれば、前記第１又は２の構成において、前記表面パネルは、内角が鋭角である下辺両端の２つの頂点部分に換気口である切り欠き又は通気孔が形成された台形状に形成されていることを特徴とする。
【００２１】
このように、太陽電池モジュールの形状を台形状とすれば、上記平行四辺形状の太陽電池モジュールや方形状の太陽電池モジュールと組み合わせて、寄せ棟、入母屋、片方行などの隅棟を有する屋根に太陽電池モジュールを敷き詰める際の貼付効率を高くすることができる。また、上述の場合と同様に、切り欠き部分（又は通気孔部分）から太陽電池モジュールの下面の暖気が換気される。従って、太陽電池モジュールを組み合わせて構成される太陽電池アレイの全体的な発電効率をさらに向上することができる。
【００２２】
本発明に係る太陽電池付屋根の第１の構成によれば、太陽電池セルが配列された表面パネルの形状が、少なくとも一つの頂点の内角が鋭角である多角形状であって、この内角が鋭角である頂点部分に換気口である切り欠き又は通気孔が形成された太陽電池モジュールが、前記表面パネルの下面に前記換気口に連通した通気可能な空間が形成された状態で、屋根面に充填して敷設されていることを特徴とする。
【００２３】
この構成によれば、鋭角の頂点部分を換気口として利用することで、上述の通り、多くの太陽電池セルを太陽電池モジュールに敷き詰めることができ、かつ太陽電池モジュール下面の暖気が換気されて太陽電池セルの温度上昇を抑えることが可能である。従って、発電効率の高い太陽電池付屋根を提供できる。
【００２４】
本発明に係る太陽電池付屋根の第２の構成によれば、前記第１の構成において、前記屋根面に敷設された太陽電池モジュールの少なくとも一部は、前記表面パネルの形状が内角が鋭角である一対の対向する頂点部分に換気口である切り欠き又は通気孔が形成された平行四辺形状に形成された平行四辺形状太陽電池モジュールであって、前記各平行四辺形状太陽電池モジュールは、互いに隣接する２つの平行四辺形状太陽電池モジュールの右側斜辺と左側斜辺とが接し、かつ前記平行四辺形状太陽電池モジュールの一対の平行辺が、前記屋根面の軒に対して平行となるように前記屋根面に配置されていることを特徴とする。
【００２５】
このように、平行四辺形状の太陽電池モジュールを敷き詰めることで、寄せ棟、入母屋、片方行などの隅棟を有する屋根に対して、貼付効率を高くすることができる。また、上述の通り、多くの太陽電池セルを太陽電池モジュールに敷き詰めることができ、かつ太陽電池モジュール下面の暖気が換気されて太陽電池セルの温度上昇を抑えることが可能である。従って、太陽電池付屋根の全体的な発電効率をさらに向上することができる。
【発明の効果】
【００２６】
以上のように、本発明に係る太陽電池モジュールによれば、本来太陽電池セルを配置することができない鋭角の頂点部分を換気口として利用することで、太陽電池モジュールに敷き詰め可能な太陽電池セルの個数は減少しない。また、太陽電池モジュール裏面の空気が換気口を通して換気され、太陽電池セルが高温となることがなく、温度上昇による発電効率の低下を抑制することができる。
【発明を実施するための最良の形態】
【００２７】
以下、本発明を実施するための最良の形態について、図面を参照しながら説明する。
【実施例１】
【００２８】
図１は本発明の実施例１に係る平行四辺形状の太陽電池モジュールの平面図及びＡ−Ａ線矢視断面図、図２は本発明の実施例１に係る平行四辺形状の太陽電池モジュールの斜視図である。なお、図１（ｂ）は図１（ａ）のＡ−Ａ線矢視断面図を表している。
【００２９】
太陽電池モジュール１は、平面視で平行四辺形状に形成されており、一対の鋭角部分に切り欠き２，２が形成されている。太陽電池モジュール１は、周囲が枠体３によって構成されており、枠体３の側面には、複数の通気孔４が貫通形成されている。ここで、枠体３の切り欠き２，２の部分の側面にも、通気孔４が形成されている。
【００３０】
枠体３の内側上部は、表面パネル５によって塞がれている。この表面パネル５は枠体３の上面よりも低い位置で枠体に接続されている。そして、枠体３と表面パネル５により構成される凹陥部に嵌め込むようにして、太陽電池アレイ６が固定されている。この太陽電池アレイ６は、多数の方形状の太陽電池セル７が直並列に平面的に接続されてなる集合体である。
【００３１】
枠体３の内側の表面パネル５の下部は、下面が解放された空洞状の放熱室が形成されている。太陽光照射により加熱された太陽電池アレイ６の熱は、表面パネル５を通して、この放熱室内に放熱される。加熱された放熱室内の暖気は、通気孔４を通って外部に排出され換気される。
【００３２】
図３は本発明の実施例１に係る三角形状の太陽電池モジュールの平面図及びＡ−Ａ線矢視断面図、図４は本発明の実施例１に係る三角形状の太陽電池モジュールの斜視図である。なお、図３（ｂ）は図３（ａ）のＡ−Ａ線矢視断面図を表している。
【００３３】
太陽電池モジュール１０は、平面視で三角形状に形成されており、３つの鋭角部分にそれぞれ切り欠き１１，１２，１２が形成されている。この太陽電池モジュール１０も、周囲が枠体１３によって構成されており、枠体１３の側面には、複数の通気孔１４が貫通形成されている。ここで、枠体１３の切り欠き１１，１２，１２の部分の側面にも、通気孔１４が形成されている。
【００３４】
枠体１３の内側上部は、表面パネル１５によって塞がれている。この表面パネル１５は枠体１３の上面よりも低い位置で枠体に接続されている。そして、枠体１３と表面パネル１５により構成される凹陥部に嵌め込むようにして、太陽電池アレイ１６が固定されている。この太陽電池アレイ１６も、多数の方形状の太陽電池セル７が直並列に平面的に接続されてなる集合体である。
【００３５】
枠体１３の内側の表面パネル１５の下部は、下面が解放された空洞状の放熱室が形成されている。太陽光照射により加熱された太陽電池アレイ１６の熱は、表面パネル１５を通して、この放熱室内に放熱される。加熱された放熱室内の暖気は、通気孔１４を通って外部に排出され換気される。
【００３６】
図５は本発明の実施例１に係る台形状の太陽電池モジュールの平面図及びＡ−Ａ線矢視断面図、図６は本発明の実施例１に係る台形状の太陽電池モジュールの斜視図である。なお、図５（ｂ）は図５（ａ）のＡ−Ａ線矢視断面図を表している。
【００３７】
太陽電池モジュール２０は、平面視で台形状に形成されており、２つの鋭角部分にそれぞれ切り欠き２１，２１が形成されている。この太陽電池モジュール２０も、周囲が枠体２３によって構成されており、枠体２３の側面には、複数の通気孔２４が貫通形成されている。枠体２３の切り欠き２１の部分の側面にも、通気孔２４が形成されている。
【００３８】
枠体２３の内側上部は、表面パネル２５によって塞がれている。この表面パネル２５は枠体２３の上面よりも低い位置で枠体に接続されている。そして、枠体２３と表面パネル２５により構成される凹陥部に嵌め込むようにして、太陽電池アレイ２６が固定されている。この太陽電池アレイ２６も、多数の方形状の太陽電池セル７が直並列に平面的に接続されてなる集合体である。
【００３９】
枠体２３の内側の表面パネル２５の下部は、下面が解放された空洞状の放熱室が形成されている。太陽光照射により加熱された太陽電池アレイ２６の熱は、表面パネル２５を通して、この放熱室内に放熱される。加熱された放熱室内の暖気は、通気孔２４を通って外部に排出され換気される。
【００４０】
図７及び図８は本発明の実施例１に係る太陽電池モジュールを寄せ棟屋根に敷設して形成された太陽電池付屋根を表す図である。
【００４１】
図７，８に示すように、寄せ棟屋根３０，４０は、東西に向いた軒３１，３２と南北に向いた軒３３，３４を辺とする長方形状に形成されている。屋根の中央部分には、南北の軒３３，３４に平行に陸棟３５が形成されている。この陸棟３５がもっとも高い位置にある。陸棟３５の両端から、屋根の４隅の頂点に向かって、４つの隅棟３６が形成されている。これらの陸棟３５と隅棟３６とを境界として、東西に面する屋根面が小平３７、南北に面する屋根面が平３８である。
【００４２】
図７，８において、太陽系モジュール１，１０，２０は、南向きの平３８及び東西に向いた小平３７，３７に設置されている。各屋根面に設置された平行四辺形状の太陽電池モジュール１は、その底辺と上辺とを軒に平行となるように設置されている。互いに隣接する２つの太陽電池モジュール１は、右側斜辺と左側斜辺とが連接するように配置されている。また、太陽電池モジュール１は、軒に平行に複数列に配列されている。そして、最も右側の太陽電池モジュール１の右側には、太陽電池モジュール１０又は太陽電池モジュール２０が配置されている。太陽電池モジュール１０を配置するか、太陽電池モジュール２０を配置するかは、屋根面の大きさに太陽電池モジュールがなるべく多く設置できるように考慮して決められる。
【００４３】
また、小平３７，３７の太陽電池モジュールの集合体は、陸棟３５に最も近接する部分には太陽電池モジュール１０が使用されている。このように頂点部分に太陽電池モジュール１０を使用すれば、小平３７，３７により多くの太陽電池モジュールを設置することが可能である。
【００４４】
以上のように敷設された太陽電池モジュールの集合体は、各太陽電池モジュール１，１０，２０の鋭角部分に形成された切り欠き２，１１，１２，２１により、各所に換気口が形成された状態となる。このように、多くの換気口が太陽電池モジュールの集合体の各所に分布して形成されるため、太陽電池モジュール１，１０，２０の下部の暖気はこの換気口を通って上方に排出される。従って、太陽電池モジュール１，１０，２０の放熱効率が高くなり、太陽光照射による温度上昇が抑えられる。その結果、各太陽電池セル７は比較的低い温度に保たれるので、高い発電効率を維持することができる。
【００４５】
また、各太陽電池モジュール１，１０，２０は、太陽電池セル７が設置できない鋭角部分を換気口として利用しているため、換気口を設けることによって太陽電池セル７の敷設可能な枚数が減少することはない。従って、太陽電池アレイ６，１６，２６の面積をできるだけ大きく確保できると同時に、太陽光照射による温度上昇を効果的に抑制し、高い発電効率を維持することが可能となる。
【実施例２】
【００４６】
図９は本発明の実施例２に係る平行四辺形状の太陽電池モジュールの平面図及びＡ−Ａ線矢視断面図、図１０は本発明の実施例２に係る平行四辺形状の太陽電池モジュールの斜視図である。なお、図９（ｂ）は図９（ａ）のＡ−Ａ線矢視断面図を表している。
【００４７】
本実施例に係る太陽電池モジュール５０は、図１，図２に示した太陽電池モジュール１とほぼ同様の形状である。従って、同様の構成については同一符号を付して説明は省略する。
【００４８】
太陽電池モジュール５０は、太陽電池モジュール１に対して、鋭角部分に切り欠きが形成されていない点において異なる。その代わりに、換気孔５１，５１が形成されている。このような構成でも、実施例１と同様の効果が得られる。
【００４９】
なお、ここでは平行四辺形状の太陽電池モジュール５０についてのみ説明したが、三角形状や台形状のものについても同様である。
【実施例３】
【００５０】
図１１は本発明の実施例３に係る平行四辺形状の太陽電池モジュールの平面図及びＡ−Ａ線矢視断面図である。図１２は本発明の実施例３に係る平行四辺形状の太陽電池モジュールの斜視図である。
【００５１】
本実施例に係る太陽電池モジュール６０は、図１，図２に示した太陽電池モジュール１とほぼ同様であるが、表面パネル５の上面に敷き詰める太陽電池セルとして、方形の太陽電池セル７に加えて直角三角形の太陽電池セル６１を使用している点で異なる。
【００５２】
すなわち、方形の太陽電池セル７だけでは、平行四辺形状の表面パネル５の斜辺部分に隙間が多くできる。そこで、この隙間部分に直角三角形の太陽電池セル６１を敷き詰めて充填する。これにより、太陽電池セルの貼付効率を高くすることができ、太陽電池モジュール６０の発電効率をより向上させることができる。
【００５３】
なお、この例では平行四辺形状の太陽電池モジュール６０について示したが、図３，図４に示したような三角形状の太陽電池モジュールや、図５，図６に示したような台形状の太陽電池モジュールについても、同様に直角三角形の太陽電池セル６１を隙間部分に充填することで、発電効率をより向上させることができる。
【実施例４】
【００５４】
図１３は本発明の実施例４に係る平行四辺形状の太陽電池モジュールの平面図及びＡ−Ａ線矢視断面図、図１４は本発明の実施例４に係る平行四辺形状の太陽電池モジュールの斜視図である。本実施例に係る太陽電池モジュール７０は、図１１，図１２に示した太陽電池モジュール６０をほぼ同様の形態を有するが、表面パネル５の下部に、枠体３で囲まれた放熱室が形成されておらず、下面はフラットである点において異なる。なお、図では平行四辺形状の太陽電池モジュールについてのみ示したが、図３〜図６に示したような三角形状や台形状の太陽電池モジュールについても同様の形態に構成するものとする。
【００５５】
図１５本発明の実施例４に係る太陽電池モジュール７０を屋根面に設置する状態を表す図である。太陽電池モジュール７０を屋根面に設置する場合、屋根面の軒に垂直に、縦桟８１を適度な間隔で固定設置し、その上部に、横桟８２を適度な間隔で軒に平行に架設する。そして、この上面に太陽電池モジュール７０を固定設置する。このとき、図１５に示したように、太陽電池モジュール７０の上辺と下辺が、横桟８２と平行になるように設置する。また、隣り合う太陽電池モジュール７０，７０の斜辺同士が連接するように設置する。
【００５６】
その結果、切り欠き２の部分に隙間ができるため、これが換気口８３となる。もし、切り欠き２がなければ、横桟８２の上に太陽電池モジュールを敷き詰めると、横桟８２で仕切られた空間に暖気が充満し、太陽電池モジュールの温度が上昇して発電効率が低下する。しかし、図１５のように、切り欠き２を有する太陽電池モジュール７０を使用して、各所に換気口８３を設けることにより、太陽電池パネル５の下面には、屋根面の傾斜上方に位置する換気口８３から暖気が抜け、屋根面の傾斜下方に位置する換気口８３から冷気が流れ込む。これにより、太陽電池パネル５の下面は冷却されて太陽電池モジュール７０の温度上昇は抑えられる。従って、高い発電効率を維持することが可能である。
【図面の簡単な説明】
【００５７】
【図１】本発明の実施例１に係る平行四辺形状の太陽電池モジュールの平面図及びＡ−Ａ線矢視断面図である。
【図２】本発明の実施例１に係る平行四辺形状の太陽電池モジュールの斜視図である。
【図３】本発明の実施例１に係る三角形状の太陽電池モジュールの平面図及びＡ−Ａ線矢視断面図である。
【図４】本発明の実施例１に係る三角形状の太陽電池モジュールの斜視図である。
【図５】本発明の実施例１に係る台形状の太陽電池モジュールの平面図及びＡ−Ａ線矢視断面図である。
【図６】本発明の実施例１に係る台形状の太陽電池モジュールの斜視図である。
【図７】本発明の実施例１に係る太陽電池モジュールを寄せ棟屋根に敷設して形成された太陽電池付屋根を表す図である。
【図８】本発明の実施例１に係る太陽電池モジュールを寄せ棟屋根に敷設して形成された太陽電池付屋根を表す図である。
【図９】本発明の実施例２に係る平行四辺形状の太陽電池モジュールの平面図及びＡ−Ａ線矢視断面図である。
【図１０】本発明の実施例２に係る平行四辺形状の太陽電池モジュールの斜視図である。
【図１１】本発明の実施例３に係る平行四辺形状の太陽電池モジュールの平面図及びＡ−Ａ線矢視断面図である。
【図１２】本発明の実施例３に係る平行四辺形状の太陽電池モジュールの斜視図である。
【図１３】本発明の実施例４に係る平行四辺形状の太陽電池モジュールの平面図及びＡ−Ａ線矢視断面図である。
【図１４】本発明の実施例４に係る平行四辺形状の太陽電池モジュールの斜視図である。
【図１５】本発明の実施例４に係る太陽電池モジュールを屋根面に設置する状態を表す図である。
【図１６】特許文献１に記載の太陽電池モジュールの断面図及び平面図である。
【図１７】図１６の太陽電池モジュールを屋根面に敷き詰めた状態を表す図である。
【符号の説明】
【００５８】
１，１０，２０，５０，６０，７０  太陽電池モジュール
２，１１，１２，２１  切り欠き
３，１３，２３  枠体
４，１４，２４  通気孔
５，１５，２５  表面パネル
６，１６，２６  太陽電池アレイ
７，６１  太陽電池セル
３０，４０  寄せ棟屋根
３１，３２，３３，３４  軒
３５  陸棟
３６  隅棟
３７  小平
３８  平
５１  換気孔
８１  縦桟
８２  横桟
８３  換気口
【図１】
2005240352.tif 000003
【図２】
2005240352.tif 000004
【図３】
2005240352.tif 000005
【図４】
2005240352.tif 000006
【図５】
2005240352.tif 000007
【図６】
2005240352.tif 000008
【図７】
2005240352.tif 000009
【図８】
2005240352.tif 000010
【図９】
2005240352.tif 000011
【図１０】
2005240352.tif 000012
【図１１】
2005240352.tif 000013
【図１２】
2005240352.tif 000014
【図１３】
2005240352.tif 000015
【図１４】
2005240352.tif 000016
【図１５】
2005240352.tif 000017
【図１６】
2005240352.tif 000018
【図１７】
2005240352.tif 000019